(57)【要約】      （修正有） 【課題】外耳道に長時間挿入しても外気との間で気圧差による違和感を与えることが少ない電子体温計の提供。【解決手段】イヤホン型の電子体温計であって、外耳道に挿入されたときに、内外気圧差を緩和するために内径０．０１〜０．０３ｍｍ、肉厚０．０１〜０．３ｍｍの細管１１２を設けて外気と連通させたことを特徴とする。連続または間歇で体温測定し、記憶し、トレンド表示することを特徴とする。ラジオ受信部、音声発生部をさらに備えたことを特徴とする。【選択図】図１
0003142089.tif 000002
【実用新案登録請求の範囲】
【請求項１】
イヤホン型の電子体温計であって、外耳道に挿入されたときに、内外気圧差を緩和するために内径０．０１〜０．５ｍｍ、肉厚０．０１〜０．３ｍｍの細管を設けて外気と連通させたことを特徴とする電子体温計。
【請求項２】
連続または間歇で体温測定し、記憶し、トレンド表示することを特徴とする請求項１に記載の電子体温計。
【請求項３】
ラジオ受信部、音声発生部をさらに備えたことを特徴とする請求項１または２に記載の電子体温計。
【請求項４】
補聴器をさらに備えたことを特徴とする請求項１または２に記載の電子体温計。
【請求項５】
音楽等をダウンロードして記憶する記憶部をさらに備えたことを特徴とする請求項１または２に記載の電子体温計。
【考案の詳細な説明】
【技術分野】
【０００１】
本考案は、電子体温計に係り、特にイヤホン型の電子体温計に関する。
【背景技術】
【０００２】
従来の腋下で体温測定を行う電子体温計に代わるものとして外耳道に挿入して体温を測定する電子体温計が提案されている（特許文献：実開平２−８４０４号公報）。
【特許文献１】実開平２−８４０４号公報
【０００３】
この方式の電子体温計は、着衣をはだける必要がなく、汗による測定温度にムラがなくなるという効果がある。しかしながら、特に外耳道に長時間挿入して体温測定する場合、外気との間で気圧差を生じ違和感を与えたり、遮音効果のために外の音が聞き取りづらいという問題があった。
【考案の開示】
【考案が解決しようとする課題】
【０００４】
したがって、本考案は上記の事情に鑑みてなされたものであり、遮音効果を維持しつつ、外耳道に長時間挿入しても外気との間で気圧差による違和感を与えることが少ない電子体温計を提供することをその目的としている。
【課題を解決するための手段】
【０００５】
上述した課題を解決し、目的を達成するために、本考案によれば、イヤホン型の電子体温計であって、外耳道に挿入されたときに、内外気圧差を緩和するために内径０．０１〜０．５ｍｍ、肉厚０．０１〜０．３ｍｍの細管を設けて外気と連通させたことを特徴とする。また、連続または間歇で体温測定し、記憶し、トレンド表示することを特徴とする。また、ラジオ受信部、音声発生部をさらに備えたことを特徴とする。また、補聴器をさらに備えたことを特徴とする。また、音楽等をダウンロードして記憶する記憶部をさらに備えたことを特徴とする。
【考案の効果】
【０００６】
本考案によれば、遮音効果を維持しつつ、外耳道（耳内）に長時間挿入しても外気との間で気圧差による違和感を与えることが少ない電子体温計が得られる。また、楽しみながら、遮音効果を維持しつつ外耳道（耳内）の温度を測定することができる。また、補聴器を使用する場合にも、違和感なく外耳道（耳内）の温度を測定することができる。
【０００７】
以下、図面を参照して本考案の実施例について説明するが、この実施例に限定されるものではない。
【０００８】
図１は、本考案の電子体温計の模式図及びブロック図である。図１（ａ）において、１はイヤホン型の体温測定部、２は電子体温計の本体である。体温測定部１は信号線２６で本体２と繋がっている。本体２は、体温値等を表示する表示部２１、装置全体を制御するマイクロコンピュータなどの制御部（ＣＰＵ）２０、マイクロコンピュータなどのＣＰＵとＣＰＵにより実行される装置全体の制御プログラムや各種データを記憶するＲＯＭ２５とワークエリアとして測定データや各種データを一時的に記憶するＲＡＭ２４などを備えている。また、記憶部２３は測定された体温を順次記憶する記憶部２３を備える。この記憶部２３はまた、音楽等の情報をダウンロードして記憶する機能も備えている。音楽などは、音声発生部２９で再生され、イヤホン１に内蔵されたスピーカ１１４で聞くことができるようにしてもよい。また、ラジオ受信部２８でラジオ電波を受信し、音声発生部２９を介してスピーカ１１４でラジオ放送が聞こえるようにしてもよい。また、イヤホン１に補聴器を内蔵してもよい。また、本体２は、外部通信部２２、操作部２７を備えている。図１（ｂ）は、において、イヤホン型の体温測定部１の断面の模式図である。１００はサーミスタなどの感温部で、１１１は、温度センサ部１００及び細管１１２を外部から断熱して囲包するために発泡ウレタンなどで形成された挿入部、１１３は把持部である。感温部１００は信号線２６を経て本体１の制御部２０で温度に変換される。細管１１２は、外耳道に挿入部１１１が挿入されたときに、外気と連通させ内外気圧差を緩和するためのもので、内径０．０１〜０．５ｍｍ、肉厚０．０１〜０．３ｍｍの細管である。この細管１１２の一部は、好ましくはステンレス製等の金属製で形成されている。
【０００９】
信号線２６を備えない場合には、外部通信部２２により、体温測定部１と、ＩＳＯ１４４４５やＩＳＯ１８０９２によって規定されるキャリア周波数が１３.５６ＭＨｚの電磁誘導方式による近距離通信を行うようにしている。この場合の、温度センサ部１００は、図２のような構造である。
【００１０】
図２において、１０１は、ＩＣタグ読み取り部としての通信部２１２からの信号を受け、ロジック部１１０を所定のフローで動作させるプログラムが記憶され、コンピュータで読取り可能な記憶媒体であるＲＡＭである。１０２は、ＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００ａの体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００，１００ａの各部に電源を供給する。１０７はＡ／Ｄ変換部であり、温度センサ１０６と発振回路（不図示）で発生した体温信号をＡ／Ｄ変換するものである。ＩＣタグ１００，１００ａは、アンテナ１０３ａを含めて５ｍｍ×５ｍｍ、厚さ１．５ｍｍ程度の大きさである。なお、ＩＣタグ１００，１００ａは、生体を通過可能な周波数の電磁波での通信（送受信）可能なものであれば、どのような周波数でもよいが、好ましくはＩＳＯ１４４４５やＩＳＯ１８０９２によって規定される１３．５６ＭＨｚのキャリア周波数の電磁波，９５０ＭＨｚ帯域のキャリア周波数の電波，２.５ＧＨｚ帯域のキャリア周波数の電波のいずれかで可能である。で送信可能になっている。体温情報もＥＥＰＲＯＭ１０２に記憶できる。間違った被検者Ｐの情報を取得しないようにしたり、アンテナ１０３ａから出力される信号を暗号化処理可能にしてセキュリティ機能を持たせることができる。このＩＣタグ（ＲＦＩＤ）１００は、上述の細管１１２とともに発泡性ポリウレタン等の断熱部材で囲包し、挿入部１１として形成し、外耳道に挿入することで、違和感がより少なく負担感なく、正確な体温を単回または連続／間歇取得することができる。
【図面の簡単な説明】
【００１１】
【図１】本考案の電子体温計の模式図及びブロック図である。
【図２】他の実施例の温度センサのブロック図である。
【符号の説明】
【００１２】
１  イヤホン型の体温測定部、２  電子体温計の本体、１００  感温部、１１２  細管
【図１】
0003142089.tif 000003
【図２】
0003142089.tif 000004